(57)【要約】【課題】透過Ｘ線による配管内部の把握が部分的に不正確になることが生じにくい。【解決手段】検査対象となる対象配管を透過する透過Ｘ線によってＸ線フィルムを感光させる。このＸ線フィルムに基づいて対象配管の腐食状況を検査する。対象配管と周辺配管等との間に遮蔽シートを設けることで、周辺配管等からの散乱Ｘ線がＸ線フィルムに入射するのを抑制する。検査対象となる対象配管が第１種（給水系、給湯系等）であるか第２種（排水系等）であるかの判別結果と、対象配管の径が所定の大きさ以上であるか否かの判定結果とを、遮蔽シートを設けると決定するための必要条件とする。【選択図】図４
2018081046.tif 000002
【特許請求の範囲】
【請求項１】
対象配管を透過したＸ線の強度を検出部において検出することによって前記対象配管の内部の状況を検査する方法であって、
前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを決定する決定ステップと、
前記決定ステップにおいて前記遮蔽手段を設けると決定した場合に、前記周辺配管及び前記コンクリート壁の少なくともいずれかと前記検出部との間に前記遮蔽手段を設ける遮蔽ステップとを備えており、
前記決定ステップにおいて、
前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記遮蔽手段を設けるとの決定をするための必要条件とすることを特徴とする配管検査方法。
【請求項２】
前記決定ステップにおいて、
前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の両方を前記必要条件とすることを特徴とする請求項１に記載の配管検査方法。
【請求項３】
前記遮蔽ステップにおいて、
前記周辺配管に前記遮蔽手段を固定することを特徴とする請求項１又は２に記載の配管検査方法。
【請求項４】
前記検出部がＸ線フィルムであり、
前記遮蔽ステップにおいて、
前記Ｘ線フィルムにおける前記対象配管から遠い方の表面である背面のさらに背後において、前記周辺配管又は前記コンクリート壁から前記背面へと向かう散乱Ｘ線を遮蔽するように前記遮蔽手段を配置することを特徴とする請求項１〜３のいずれか１項に記載の配管検査方法。
【請求項５】
前記検出部がＸ線フィルムであり、
前記遮蔽ステップが、
前記対象配管の周方向に関して第１の位置に前記Ｘ線フィルムを配置しつつ前記対象配管にＸ線を照射する第１の工程と、
前記対象配管の周方向に関して前記第１の位置と異なる第２の位置に前記Ｘ線フィルムを配置しつつ前記対象配管にＸ線を照射する第２の工程とを含んでおり、
前記第１及び第２の工程の少なくともいずれかにおいて、前記周辺配管及び前記コンクリート壁の少なくともいずれかと前記Ｘ線フィルムとの間にＸ線を遮蔽する遮蔽手段を設けることを特徴とする請求項１〜４のいずれか１項に記載の配管検査方法。
【請求項６】
前記検出部がＸ線フィルムであり、
前記遮蔽ステップにおいて前記遮蔽手段が設けられた場合にはこれによって前記周辺配管又はコンクリート壁から前記Ｘ線フィルムに入射するＸ線が抑制された状態で、前記対象配管を透過させつつ前記Ｘ線フィルムにＸ線を照射する照射ステップと、
前記照射ステップ後のＸ線フィルム上に形成された前記対象配管の透過像の明暗に基づいて前記対象配管の腐食状況を検査する検査ステップとを備えていることを特徴とする請求項１〜５のいずれか１項に記載の配管検査方法。
【請求項７】
対象配管を透過したＸ線の強度を検出部において検出することによって前記対象配管の内部の状況を検査する方法であって、
前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを複数の条件に基づいて決定する決定ステップと、
前記決定ステップにおいて前記遮蔽手段を設けると決定した場合に、前記周辺配管及び前記コンクリート壁の少なくともいずれかと前記検出部との間に前記遮蔽手段を設ける遮蔽ステップとを備えており、
前記決定ステップにおいて、
前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記複数の条件の中の他の条件より重視することを特徴とする配管検査方法。
【発明の詳細な説明】
【技術分野】
【０００１】
本発明は、配管検査方法に関する。
【背景技術】
【０００２】
従来、特許文献１のように、Ｘ線を配管に照射し、配管を透過したＸ線の強度を検出することで、配管内部の腐食状況等を把握する技術がある。例えば、配管を透過したＸ線（以下、透過Ｘ線とする。）でＸ線フィルムを感光させ、そのＸ線フィルムを現像することで、配管内部の状況をフィルム上の像として取得できる。
【先行技術文献】
【特許文献】
【０００３】
【特許文献１】特開２０１４−２０２６０３号公報
【発明の概要】
【発明が解決しようとする課題】
【０００４】
本発明者は、Ｘ線フィルム等を利用した透過Ｘ線の検出によると配管内部の正確な状況を部分的に把握できない場合があることに気付いた。例えば、透過Ｘ線で感光させたＸ線フィルムを現像した際、フィルム上の像に影が写り込む場合がある。このような場合、影が写り込んだ部分において、配管内部の腐食状況等を正確には把握しにくい。
【０００５】
本発明の目的は、透過Ｘ線による配管内部の正確な状況を部分的に把握できないこと、例えば、透過Ｘ線によるＸ線フィルムの像に写り込んだ影によってその部分の正確な状況を把握できなくなることが生じにくい配管検査方法を提供することにある。
【課題を解決するための手段】
【０００６】
本発明者は、Ｘ線フィルムの像に影が写り込む等、配管内部の正確な状況を部分的に把握できない現象（以下、当該現象とする。）が生じる原因について、検査対象となる配管（以下、対象配管とする。）の周辺の配管、コンクリート壁等の設備において散乱したＸ線（以下、散乱Ｘ線とする。）が検出部に入射することが問題であると考えた。散乱Ｘ線の検出部への入射を抑制するためには、当該現象の原因となるＸ線の散乱源と検出部との間に遮蔽手段を設けることが考えられる。
【０００７】
しかしながら、散乱Ｘ線は、対象配管の周辺状況に応じてさまざまな態様で発生する。したがって、当該現象が起こるか否かも、対象配管の周辺状況に依存する。また、当該現象が発生する場合に、いずれの設備がその原因の散乱源となり得るかも、対象配管周辺の構造体の配置状況等に応じてさまざまである。仮に、遮蔽手段の設置の要否や設置箇所を対象配管の周辺状況のみに基づいて判断するものとした場合、多種多様な周辺状況に応じてこれらを判断するのは手間や時間が過大になるおそれがある。
【０００８】
そこで、本発明者は、過去に行った多数の配管検査に基づき、当該現象が発生しやすいのはどのような条件下であるか、当該現象の原因となる散乱源として主要なものは何かを鋭意研究した。その結果、本発明者は、当該現象の発生のしやすさが、対象配管の周辺状況のみに依存するのではなく、対象配管自体の状況にも大きく依存することを発見した。具体的には、当該現象が発生しやすいのは、対象配管が特定の種類に該当する場合、例えば、給水系、給湯系等に該当する場合である一方で、対象配管が別の種類に該当する場合、例えば、排水系等に該当する場合、当該現象が発生しにくいことを知見した。また、当該現象の発生に対象配管の径が関わっていることを知見した。具体的には、対象配管の径が大きいほど当該現象が発生しやすいことを知見した。また、本発明者は、対象配管の周辺に他の配管が密集していたり、対象配管にコンクリート壁が近接していたりする場合に、当該現象が発生しやすいことを知見した。このことから、当該現象の原因としての散乱源は、主に、対象配管周辺の別の配管かコンクリート壁であることを突き止めた。
【０００９】
以上を踏まえた本発明は、対象配管を透過したＸ線の強度を検出部において検出することによって前記対象配管の内部の状況を検査する方法であって、前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを決定する決定ステップと、前記決定ステップにおいて前記遮蔽手段を設けると決定した場合に、前記周辺配管及び前記コンクリート壁の少なくともいずれかと前記検出部との間に前記遮蔽手段を設ける遮蔽ステップとを備えており、前記決定ステップにおいて、前記対象配管が給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記遮蔽手段を設けるとの決定をするための必要条件とする。
【００１０】
本発明によると、対象配管が第１種か第２種かを配管の種類に応じて判別した結果、及び、配管の径が所定の大きさ以上であるか否かを判定した結果の２つのうちの１つ以上を、遮蔽手段を設けるか否かの決定に当たっての必要条件とする。対象配管の種類が給水系、給湯系、排水系等のいずれであるかは配管設備の状況等に基づいてすぐに、且つ、確実に判明する。したがって、対象配管が第１種であるか第２種であるかは迅速かつ正確に判別することができる。よって、当該現象が発生しやすい給水系や給湯系等は第１種に該当するものとし、当該現象が発生しにくい排水系等は第２種に該当するものとしておけば、当該現象が生じやすい種類か否かを迅速かつ正確に判別することができる。また、対象配管の径も、実測や設備資料の確認により容易に把握できる。上記の通り、当該現象が発生する蓋然性は対象配管の径にも依存する。したがって、対象配管の径に基づくことにより、当該現象が生じやすいか否かを迅速かつ正確に判定できる。
【００１１】
以上により、本発明は、配管の周辺状況等を綿密に調べることに手間や時間を掛けることなく、簡易且つ迅速に遮蔽手段を設けるか否かの決定を行いやすい。そして、周辺配管やコンクリート壁と検出部との間に遮蔽手段を設けることで、当該現象を確実に生じにくくすることができる。
【００１２】
また、本発明においては、前記決定ステップにおいて、前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の両方を前記必要条件とすることが好ましい。これによると、対象配管が第１種か第２種かを配管の種類に応じて判別した結果、及び、配管の径が所定の大きさ以上であるか否かを判定した結果の両方を必要条件とする。したがって、当該現象の起きる蓋然性の高い場合に絞って遮蔽手段を設けることができる。
【００１３】
また、本発明においては、前記遮蔽ステップにおいて、前記周辺配管に前記遮蔽手段を固定してもよい。これによると、散乱源となる蓋然性の高い構造物に直接遮蔽手段を固定する。したがって、当該現象の発生を直接抑制できる。
【００１４】
また、本発明においては、前記検出部がＸ線フィルムであり、前記遮蔽ステップにおいて、前記Ｘ線フィルムにおける前記対象配管から遠い方の表面である背面のさらに背後において、前記周辺配管又は前記コンクリート壁から前記背面へと向かう散乱Ｘ線を遮蔽するように前記遮蔽手段を配置してもよい。本発明者の知見によると、Ｘ線フィルムの背後の近傍にコンクリート壁が存在する状況においても当該現象が起こりやすい。つまり、Ｘ線フィルムの背後にある散乱源からのＸ線によってＸ線フィルムに影が生じるものと考えられる。上記によると、Ｘ線フィルムの背後に遮蔽手段を配置するので、かかる場合における当該現象の発生を効果的に抑制できる。
【００１５】
また、本発明においては、前記検出部がＸ線フィルムであり、前記遮蔽ステップが、前記対象配管の周方向に関して第１の位置に前記Ｘ線フィルムを配置しつつ前記対象配管にＸ線を照射する第１の工程と、前記対象配管の周方向に関して前記第１の位置と異なる第２の位置に前記Ｘ線フィルムを配置しつつ前記対象配管にＸ線を照射する第２の工程とを含んでおり、前記第１及び第２の行程の少なくともいずれかにおいて、前記周辺配管及び前記コンクリート壁の少なくともいずれかと前記Ｘ線フィルムとの間にＸ線を遮蔽する遮蔽手段を設けてもよい。対象配管の径が比較的大きいと、上記第１及び第２の工程の通り、複数回に分けてさまざまな方向から対象配管にＸ線を照射する必要が生じることがある。このような場合には、対象配管の周辺にもさまざまな方向へとＸ線が照射されることから、対象配管の周辺において当該現象を引き起こすような散乱Ｘ線が生じる蓋然性が高くなる。よって、かかる場合には、本発明を適用する技術的意義が高い。
【００１６】
また、本発明においては、前記検出部がＸ線フィルムであり、前記遮蔽ステップにおいて前記遮蔽手段が設けられた場合にはこれによって前記周辺配管又はコンクリート壁からのＸ線が抑制された状態で、Ｘ線発生装置からのＸ線に前記対象配管を透過させつつ前記Ｘ線フィルムに照射する照射ステップと、前記照射ステップ後のＸ線フィルムに形成された前記対象配管の透過像の明暗に基づいて前記対象配管の腐食状況を検査する検査ステップとを備えていることが好ましい。影が写り込むと像の明暗が変動するため、対象配管の腐食状況を正確に取得できないおそれがある。これに対し、上記構成によると、当該現象の発生が抑制された、つまり、影の写り込みが抑制されたＸ線フィルムの像の明暗に基づいて対象配管の腐食状況を検査することができる。したがって、対象配管の腐食状況を正確に取得しやすい。
【００１７】
また、本発明の別の観点による配管検査方法は、対象配管を透過したＸ線の強度を検出部において検出することによって前記対象配管の内部の状況を検査する方法であって、前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを複数の条件に基づいて決定する決定ステップと、前記決定ステップにおいて前記遮蔽手段を設けると決定した場合に、前記周辺配管及び前記コンクリート壁の少なくともいずれかと前記検出部との間に前記遮蔽手段を設ける遮蔽ステップとを備えており、前記決定ステップにおいて、前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記複数の条件の中の他の条件より重視する。
【００１８】
本発明の別の観点による配管検査方法は、遮蔽手段を設けるか否かの決定に当たって、対象配管が第１種か第２種かを配管の種類に応じて判別した結果、及び、配管の径が所定の大きさ以上であるか否かを判定した結果の２つのうちの１つ以上を他の条件よりも重視する。第１種か第２種かの判別や配管の径の判定は、上記の通り、配管の周辺状況の把握等と比べ、簡易且つ迅速に行うことができる。したがって、これらの条件の少なくともいずれかを他の条件より重視することにより、配管の周辺状況等を綿密に調べることに手間や時間を掛けることなく、簡易且つ迅速に遮蔽手段を設けるか否かの決定を行いやすい。そして、周辺配管やコンクリート壁と検出部との間に遮蔽手段を設けることで、当該現象を確実に生じにくくすることができる。
【００１９】
なお、本発明の別の観点において、複数の条件の中である条件を他の条件より重視することは、例えば、ある必要条件を他の必要条件より先に判定することに対応する。例えば、ある条件を判定した結果、遮蔽手段を設ける条件を満たさないと判定した場合、他の条件を判定することなく遮蔽手段を設けないと決定することがこれに対応する。また、複数の条件を総合判断することで遮蔽手段を設けるか否かを決定する場合には、ある条件を他の条件より重視することは、ある条件が決定に与える重みを他の条件の重みより大きくすることに対応する。例えば、各条件に点数を設定し、点数の合計に基づいて決定を行う場合、ある条件の点数を他の条件より大きくすることがこれに対応する。さらに、ある条件を必要条件とし、他の条件を必要条件としないことも、ある条件を他の条件より重視することに対応する。
【図面の簡単な説明】
【００２０】
【図１】本発明の一実施形態に係る配管検査方法におけるＸ線発生装置、検査対象となる対象配管及びその周辺の構造体の状況を示す平面図である。対象配管や周辺配管、コンクリート壁は水平に沿った断面が示されている。
【図２】対象配管のＸ線撮像の一例である。
【図３】影が写り込んだＸ線フィルムの現像例を示す。
【図４】本実施形態における配管検査方法の工程を示すフロー図である。
【図５】比較的径の大きい対象配管を検査する状況を示す平面図である。対象配管は水平に沿った断面が示されている。
【発明を実施するための形態】
【００２１】
本発明の一実施形態に係る配管検査方法について、図１〜図４を参照しつつ説明する。本実施形態に係る配管検査方法は、オフィスビルや学校、ホテル、アミューズメント施設等に構築された配管設備に含まれる各配管の腐食状況を検査する方法に関する。検査対象となる配管（以下、対象配管とする。）は、配管設備の各所に設置されている。設置個所周辺の状況は、施設や施設内の位置等によってさまざまである。図１は、対象配管１１とその周辺状況の一例である。図１では、対象配管１１が鉛直方向に沿っており、その周辺には配管１２及び１３とコンクリート壁Ｗ１及びＷ２とが存在している。コンクリート壁Ｗ１は、Ｘ線発生装置１から見て対象配管１１の背後にある。コンクリート壁Ｗ２は、Ｘ線発生装置１から見て対象配管１１の側方にある。
【００２２】
本配管検査方法においてはＸ線発生装置１を用いる。図１に示すように、Ｘ線発生装置１から対象配管１１に向かってＸ線を照射する。Ｘ線を照射する時間は、対象配管１１の径の大きさや管の公称肉厚、素材、管内の水の存在等、対象配管１１の状況に応じ、適宜調整する。そして、対象配管１１を透過した透過Ｘ線を検出することにより、対象配管１１の透過像を取得する。本実施形態においては、Ｘ線発生装置１からのＸ線が対象配管１１を透過する位置にＸ線フィルム２（検出部）が配置される。対象配管１１を透過したＸ線がＸ線フィルム２を感光させる。感光させたＸ線フィルム２を現像すると、対象配管１１の透過像がＸ線フィルム２に表れる。Ｘ線フィルム２に表れた対象配管１１の透過像はスキャナで取り込まれる。これによって、対象配管１１の透過像に対応する画像データが取得される。図２は、対象配管１１の透過像の一例である。透過像は、対象配管１１の各部の肉厚に応じた画像となる。例えば、透過像がグレースケールで表現されると共に、各画素の明暗が、その画素に対応する透過Ｘ線の強度を示す。具体的には、明度が高いほど透過Ｘ線が弱く、明度が低いほど透過Ｘ線が強い。このように、対象配管１１の肉厚を透過像の明暗に基づいて取得する。このため、Ｘ線の照射時間の調整は、透過像の明暗が適度に表れるように行われる。
【００２３】
本実施形態においては、対象配管１１の透過像の画像データに基づいて対象配管１１の肉厚を導出する。例えば、肉厚を導出する箇所（以下、肉厚導出箇所とする。）及び基準箇所を、対象配管１１の軸付近に設定する。一例として、図２のＲで示す領域内で設定する。そして、肉厚導出箇所に対応する画素の明暗値の、基準箇所に対応する画素の明暗値に対する割合を算出する。これにより、基準箇所における肉厚を１としたときの肉厚導出箇所における肉厚の割合が求められる。次に、基準箇所における肉厚が配管の公称肉厚値と等しいとの仮定に基づき、肉厚導出箇所の肉厚を導出する。つまり、（肉厚導出箇所の肉厚）＝（公称肉厚値）＊（肉厚の割合）により、肉厚を導出する。
【００２４】
ところで、本発明者は、対象配管１１の透過像を写したＸ線フィルム２に部分的に影が写り込む場合があることに気付いた。図３は影が写り込んだＸ線フィルム２の一現像例である。図３のＸ線フィルム２では、右端部に影が写り込んでいる。このように影が写り込んだ部分においては、対象配管１１の透過像における明暗値が影のない場合と比べて暗い方にずれる。したがって、上記のような方法で対象配管１１の肉厚を導出しても、導出値が実際の肉厚からずれるおそれがある。
【００２５】
本発明者は、Ｘ線フィルム２の像に影が写り込む現象（以下、影の写り込み現象とする。）が生じる原因について、配管１２等の周辺の配管、コンクリート壁Ｗ１等の周辺設備において散乱したＸ線（以下、散乱Ｘ線とする。）がＸ線フィルム２に入射することが問題であると考えた。散乱Ｘ線のＸ線フィルム２への入射を抑制するためには、影の写り込み現象の原因となるＸ線の散乱源とＸ線フィルム２との間に遮蔽手段を設けることが考えられる。遮蔽手段は、例えば、鉛合金からなる薄板を含んだシートである。図１の遮断シート２０はかかる一例である。
【００２６】
しかしながら、散乱Ｘ線は、対象配管１１の周辺状況に応じてさまざまな態様で発生する。つまり、近接する周辺配管やコンクリート壁の有無、これらの配置関係等に応じてさまざまな態様で発生する。したがって、影の写り込み現象が起こるか否かも、対象配管１１の周辺状況に依存する。また、設備のいずれがその原因の散乱源となり得るかも、対象配管１１周辺の構造体の配置状況等に応じてさまざまである。仮に、遮断シート２０の設置の要否や設置箇所を対象配管１１の周辺状況のみに基づいて判断するものとした場合、多種多様な周辺状況に応じてこれを判断するのは手間や時間が過大になるおそれがある。
【００２７】
そこで、本発明者は、過去に行った多数の配管検査に基づき、影の写りこみ現象が発生しやすいのはどのような条件下であるか、影の写りこみ現象の原因となる散乱源として主要なものは何かを鋭意研究した。その結果、本発明者は、当該現象の発生のしやすさが、対象配管１１の周辺状況のみに依存するのではなく、対象配管１１自体の状況にも大きく依存することを発見した。具体的には、影の写りこみ現象が発生しやすいのは、対象配管１１が特定の種類に該当する場合、例えば、給水系、給湯系等に該当する場合である一方で、対象配管１１が別の種類に該当する場合、例えば、排水系等に該当する場合、影の写り込み現象が発生しにくいことを知見した。また、本発明者は、影の写り込み現象の発生に対象配管１１の径が関わっていることを発見した。具体的には、本発明者は、対象配管１１の径が大きいほど影の写り込み現象が発生しやすいことを知見した。さらに、対象配管１１が上記特定の種類に該当し、且つ、対象配管１１の周辺に配管１２等の他の配管が密集しているか、対象配管１１にコンクリート壁が近接している場合に、影の写りこみ現象が発生しやすいことを知見した。このことから、影の写りこみ現象の原因としての散乱源は、主に、対象配管１１周辺の別の配管かコンクリート壁であることを突き止めた。
【００２８】
以上の知見に基づく本実施形態に係る配管検査方法の流れについて、図４に従って説明する。まず、対象配管１１やその周辺の状況について予備調査を行う（ステップＳ１；以下、単にＳ１等とする）。予備調査では、対象配管１１の種類の把握やその径の測定、対象配管１１と周辺配管やコンクリート壁との距離の測定等を行う。対象配管１１の種類の把握においては、対象配管１１が給水系、給湯系、排水系等のいずれに該当するかを実際の設備の状況から把握してもよいし、設備に関して記載された資料等から把握してもよい。
【００２９】
次に、下記の表１に従って対象配管１１が第１種及び第２種のいずれに該当するかを判別する（Ｓ２）。第１種及び第２種という区分は、影の写り込み現象の発生しやすさに関する。表１は、給水系、給湯系、配水系等の配管の種類と当該区分とを関連付けたものである。表１に示すように、影の写り込み現象が発生しやすい給水系、給湯系は第１種に関連付けられている。また、影の写り込み現象が発生しにくい排水系は第２種に関連付けられている。そして、Ｓ１にて把握した対象配管１１の種類に基づき、表１に従って、対象配管１１が第１種及び第２種のいずれかに該当するかを択一的に判別する。対象配管１１が第２種であると判別した場合、遮断シート２０を設置せずにＳ６のステップに進む。対象配管１１が第１種であると判別した場合、Ｓ１で測定された対象配管１１の径が所定値Ｒ以上（例えば、５００ｍｍ以上）であるか否かを判定する（Ｓ３）。対象配管１１の径が所定値Ｒ未満であると判定した場合、遮断シート２０を設置せずにＳ６のステップに進む。対象配管１１の径が所定値Ｒ以上であると判定した場合、対象配管１１と周辺配管及びコンクリート壁との距離が所定値Ｄ以下であるか否かを判定する（Ｓ４）。Ｓ４の判定は、Ｓ１において取得した、周辺配管及びコンクリート壁（以下、構造体とする）と対象配管１１との距離に基づく。そして、これらの構造体のうち、対象配管１１との距離が所定値Ｄ以下（例えば、２０００ｍｍ以下）であるものを抽出する。例えば、配管１２及びコンクリート壁Ｗ１は対象配管１１との距離が所定値Ｄ以下であり、配管１３及びコンクリート壁Ｗ２は対象配管１１との距離が所定値Ｄを超える場合、これらの中から配管１２及びコンクリート壁Ｗ１を抽出する。対象配管１１との距離が所定値Ｄ以下である構造体が存在しない場合、遮断シート２０を設置せずにＳ６のステップに進む。対象配管１１との距離が所定値Ｄ以下である構造体が存在する場合、遮断シート２０を設置するＳ５のステップに進む。
【００３０】
【表１】
2018081046.tif 000003
【００３１】
以上のように、Ｓ２〜Ｓ４において、対象配管１１が第１種に該当し、且つ、対象配管１１の径が所定値Ｒ以上であり、なお且つ、対象配管１１との距離が所定値Ｄ以下である構造体が存在した場合に、遮断シート２０を設置するＳ５のステップに進む。それ以外の場合、つまり、対象配管１１が第２種に該当するか、対象配管１１の径が所定値Ｒ未満であると判定されるか、対象配管１１との距離が所定値Ｄ以下である構造体が存在しないかの少なくともいずれかを満たす場合に、遮断シート２０を設置せずにＳ６のステップに進む。つまり、Ｓ２〜Ｓ４のステップは、遮蔽手段を設置するか否かを決定する本発明における決定ステップに対応する。
【００３２】
Ｓ５においては、遮断シート２０を設置する。遮断シート２０は、Ｓ４において対象配管１１との距離が所定値Ｄ以下であった構造体と対象配管１１との間に設置される。例えば、上記の通り配管１２と対象配管１１との距離が所定値Ｄ以下であった場合、図１の矢印Ａに示す位置に遮断シート２０が設置される。この位置は、配管１２への固定位置に対応する。また、上記の通りコンクリート壁Ｗ１と対象配管１１との距離が所定値Ｄ以下であった場合、図１の矢印Ｂに示す位置に遮断シート２０が設置される。この位置は、Ｘ線フィルム２の背面２ａに近接した位置に対応する。背面２ａは、Ｘ線フィルム２における対象配管１１から遠い方の表面である。
【００３３】
次に、対象配管１１の撮影を行う（Ｓ６）。つまり、Ｘ線発生装置１からのＸ線に対象配管１１を透過させ、透過させたＸ線でＸ線フィルム２を感光させる（Ｓ６）。そして、感光したＸ線フィルム２を現像し、それによってＸ線フィルム２上に表れた対象配管１１の透過像をスキャナで取り込み、得られた透過像の画像データの明暗値に基づいて対象配管１１の肉厚を導出する（Ｓ７）。Ｓ５において遮断シート２０を設置した場合には、遮断シート２０によって配管１２やコンクリート壁Ｗ１による散乱Ｘ線からＸ線フィルム２が遮蔽される。よって、影の写り込み現象が生じにくい。また、Ｓ５を実行しない場合であっても、それは、Ｓ２〜Ｓ４において遮断シート２０を設置しない決定がなされた結果である。当該決定は、影の写り込み現象が発生する蓋然性が高くない場合になされる。このように、Ｓ５を実行する場合も実行しない場合も、影の写り込み現象が起こりにくい。したがって、Ｓ７において対象配管１１の肉厚を正確に導出しやすい。
【００３４】
以上説明した本実施形態によると、影の写り込み現象が生じる蓋然性に基づいて、影の写り込み現象の原因となる蓋然性の高い散乱源に対する遮断シート２０を設けることで、影の写り込み現象の発生を有効に抑制できる。その理由は以下の通りである。対象配管１１の種類が給水系、給湯系、排水系等のいずれであるかは、対象配管１１にＸ線を照射する前であっても、配管設備の実際の状況や資料等に基づいてすぐに、且つ、確実に判明する。したがって、対象配管１１の種類と表１とに基づき、対象配管１１が第１種であるか第２種であるか、つまり、影の写り込み現象が生じやすい種類か否かを迅速かつ簡易に判別することができる。そして、対象配管１１が第１種であることを、遮断シート２０を設ける決定を行う必要条件の１つとする（図４のＳ２→Ｓ３）。また、対象配管１１の径が所定値Ｒ以上であることを、遮断シート２０を設ける決定を行う必要条件の他の１つとする（図４のＳ３→Ｓ４）。対象配管１１が第１種である場合、上記の通り、影の写り込み現象が生じる蓋然性が高い。また、対象配管１１の径が所定値Ｒ以上である場合も、上記の通り、影の写り込み現象が生じる蓋然性が高い。対象配管１１の径も、実測や資料に基づいて簡易且つ迅速に把握できる。よって、これらを遮断シート２０を設ける決定を行う必要条件とすることで、影の写り込み現象が生じるか否かを判定するために対象配管１１の構造等や使用状況を綿密に調べる手間や時間を掛けなくても、影の写り込み現象が生じる蓋然性を簡易且つ適切に評価できる。
【００３５】
さらに、対象配管１１との距離が所定値Ｄ以下である構造体が存在することを、遮断シート２０を設ける決定を行う必要条件の他の１つとする（図４のＳ４→Ｓ５）。一方、周辺の構造体が対象配管１１から一定程度離れていれば、影の写り込み現象は生じにくい。また、対象配管１１と構造体との距離を測定することだけであれば、これらの位置関係を調べること等と比べて容易である。よって、これらを遮断シート２０を設ける決定を行う必要条件とすることで、影の写り込み現象が生じるか否かを判定するために対象配管１１の構造等や使用状況を綿密に調べる手間や時間を掛けなくても、影の写り込み現象が生じる蓋然性を簡易且つ適切に評価できる。なお、図４のＳ２及びＳ３がＳ４より先に実行されることは、Ｓ２及びＳ３の判定結果によってＳ４の判定がなされないことに相当する。つまり、Ｓ２及びＳ３の判定条件がＳ４の判定条件より重視されていることに対応する。
【００３６】
また、影の写り込み現象が発生する場合には、上記の通り、配管１２等の周辺配管やコンクリート壁Ｗ１等が影の写り込み現象の原因となる蓋然性が高い。このため、影の写り込み現象の原因となる蓋然性の高い散乱源に対する遮蔽手段を設けることで、当該現象の発生を有効に抑制できる。
【００３７】
以上により、本実施形態では、対象配管１１の構造や使用状況等を綿密に調べることに手間や時間を掛けることなく、簡易且つ迅速に遮断シート２０を設けるか否かを決定できる。そして、配管１２やコンクリート壁Ｗ１とＸ線フィルム２との間に遮断シート２０を設けることで、影の写り込み現象を確実に生じにくくすることができる。
【００３８】
（変形例）
以上は、本発明の好適な実施形態についての説明であるが、本発明は上述の実施形態に限られるものではなく、課題を解決するための手段に記載された範囲の限りにおいて様々な変更が可能なものである。以下、上述の実施形態に係る変形例について説明する。また、上述の実施形態と共通の部分については上述と同じ符号を用いると共に、説明を適宜省略する。
【００３９】
例えば、上述の実施形態では、Ｘ線フィルム２をＸ線の検出部として用いている。しかし、その他の装置が検出部として用いられてもよい。例えば、Ｘ線用の光電変換素子を用いたイメージセンサを備えるＸ線検出器等が用いられてもよい。
【００４０】
また、上述の実施形態では、対象配管１１の種類に係る条件や径の大きさに係る条件等を、遮断シート２０を設ける決定の必要条件としている。しかし、これらの複数の条件を総合判断することにより上記決定を行ってもよい。例えば、対象配管１１が第１種か第２種かの条件、対象配管１１の径が所定値Ｒ以上であるか否かの条件、及び、その他の条件のそれぞれに点数を設定する。各条件について、設定された点数に基づいて評価点を決定する。そして、決定した評価点をすべての条件について合計する。合計した評価点が、例えば所定値以上となれば遮断シート２０を設けると決定し、所定値未満となれば遮断シート２０を設けないと決定する。このとき、対象配管１１が第１種か第２種かの条件、及び、対象配管１１の径が所定値Ｒ以上であるか否かの条件の２つのうちの１つ以上については、これら２つの条件以外の他の条件より点数を高く設定する。これにより、２つの条件の少なくともいずれかによる評価点が他の条件による評価点より、遮断シート２０を設けるか否かの決定に与える影響が大きくなる。したがって、２つの条件の少なくともいずれかについて評価点を先に計算すること等により、合計の評価点が所定値以上になるかどうかを迅速に判断しやすくなる。このように、２つの条件の少なくともいずれかを他の条件より重視することで、簡易且つ迅速に遮断シート２０を設けるか否かを決定しやすい。
【００４１】
なお、上記２つの条件の少なくともいずれかを遮断シート２０を設けることの必要条件とし、最終的な決定には他の条件を含めた全体の条件による総合判断、又は、他の条件による総合判断に基づいてもよい。この場合も、上記２つの条件の少なくともいずれかを他の条件より重視することに対応する。
【００４２】
また、上述の実施形態では、対象配管１１の種類に係る条件と径の大きさに係る条件とを、遮断シート２０を設ける決定の必要条件としている。これに加え、対象配管１１の被覆物の状況を必要条件としてもよい。本発明者の知見によると、保温材やこれを固定及び保護するための金網等が対象配管１１を被覆しているか否かや保温材の湿潤状態に応じても、影の写り込み現象の起きやすさが変動するためである。具体的には、保温材等の被覆物があると、影の写り込み現象が起きやすい。また、保温材が湿っているほど影の写り込み現象が起きやすい。したがって、被覆物があることや保温材が湿っていることを、遮断シート２０を設けるとの決定をするための必要条件としてもよい。あるいは、被覆物があることや保温材が湿っていることを、遮断シート２０を設けるか否かの決定をするための総合判断の条件としてもよい。
【００４３】
また、図５に示すように、比較的径の大きい対象配管１１１を検査する場合、対象配管１１１の周方向に関してＸ線発生装置１及びＸ線フィルム２の位置を変更しつつ複数回にわたって対象配管１１１をＸ線撮影することがある。このような場合、（イ）対象配管１１１の周辺にもさまざまな方向へとＸ線が照射されること、及び、（ロ）対象配管１１１の径が比較的大きいこと等から、一連の撮影工程において影の写り込みが発生する可能性が高まる。そこで、Ｘ線発生装置１をＡ１の位置に、Ｘ線フィルム２をＡ２の位置に配置して対象配管１１１を撮像する第１工程と、Ｘ線発生装置１をＢ１の位置に、Ｘ線フィルム２をＢ２の位置に配置して対象配管１１１を撮像する第２工程との少なくともいずれか一方の工程において、上記Ｓ２〜Ｓ６が実行されるとよい。
【００４４】
上述の実施形態の表１には、第１種か第２種かの具体的な区分を記載しているのが、給水系、給湯系及び排水系の３つの種類に限られている。冷凍系、冷暖房系、給油系等のその他の各種配管については、第１種か第２種かの区分を実験や経験に基づいて表１に追加していくとよい。
【符号の説明】
【００４５】
１        Ｘ線発生装置
２        Ｘ線フィルム
１１      対象配管
１２，１３  周辺配管
２０      遮断シート
Ｗ，Ｗ１，Ｗ２  コンクリート壁
【図１】
2018081046.tif 000004
【図２】
2018081046.tif 000005
【図３】
2018081046.tif 000006
【図４】
2018081046.tif 000007
【図５】
2018081046.tif 000008
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
対象配管を透過したＸ線の強度を検出部において検出することによって前記対象配管の内部の状況を検査する方法であって、
前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを決定する決定ステップと、
前記決定ステップにおいて前記遮蔽手段を設けると決定した場合に、前記周辺配管及び前記コンクリート壁の少なくともいずれかと前記検出部との間に前記遮蔽手段を設けつつ前記対象配管にＸ線を照射して前記対象配管の内部の状況を検査し、前記決定ステップにおいて前記遮蔽手段を設けないと決定した場合に、前記周辺配管及び前記コンクリート壁の少なくともいずれかと前記検出部との間に前記遮蔽手段を設けずに前記対象配管にＸ線を照射して前記対象配管の内部の状況を検査する検査ステップと、を備えており、
前記決定ステップにおいて、
前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記遮蔽手段を設けるとの決定をするための必要条件とすることを特徴とする配管検査方法。
【請求項２】
前記決定ステップにおいて、
前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の両方を前記必要条件とすることを特徴とする請求項１に記載の配管検査方法。
【請求項３】
前記検査ステップにおいて、
前記周辺配管に前記遮蔽手段を固定することを特徴とする請求項１又は２に記載の配管検査方法。
【請求項４】
前記検出部がＸ線フィルムであり、
前記検査ステップにおいて、
前記Ｘ線フィルムにおける前記対象配管から遠い方の表面である背面のさらに背後において、前記周辺配管又は前記コンクリート壁から前記背面へと向かう散乱Ｘ線を遮蔽するように前記遮蔽手段を配置することを特徴とする請求項１〜３のいずれか１項に記載の配管検査方法。
【請求項５】
前記検出部がＸ線フィルムであり、
前記検査ステップが、
前記対象配管の周方向に関して第１の位置に前記Ｘ線フィルムを配置しつつ前記対象配管にＸ線を照射する第１の工程と、
前記対象配管の周方向に関して前記第１の位置と異なる第２の位置に前記Ｘ線フィルムを配置しつつ前記対象配管にＸ線を照射する第２の工程とを含んでおり、
前記第１及び第２の工程の少なくともいずれかにおいて、前記周辺配管及び前記コンクリート壁の少なくともいずれかと前記Ｘ線フィルムとの間にＸ線を遮蔽する遮蔽手段を設けることを特徴とする請求項１〜４のいずれか１項に記載の配管検査方法。
【請求項６】
前記検出部がＸ線フィルムであり、
前記検査ステップが、
前記遮蔽手段が設けられた場合にはこれによって前記周辺配管又はコンクリート壁から前記Ｘ線フィルムに入射するＸ線が抑制された状態で、前記対象配管を透過させつつ前記Ｘ線フィルムにＸ線を照射する照射ステップと、
前記照射ステップ後のＸ線フィルム上に形成された前記対象配管の透過像の明暗に基づいて前記対象配管の腐食状況を検査する腐食状況検査ステップと、を含んでいることを特徴とする請求項１〜５のいずれか１項に記載の配管検査方法。
【請求項７】
対象配管を透過したＸ線の強度を検出部において検出することによって前記対象配管の内部の状況を検査する方法であって、
前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを複数の条件に基づいて決定する決定ステップと、
前記決定ステップにおいて前記遮蔽手段を設けると決定した場合に、前記周辺配管及び前記コンクリート壁の少なくともいずれかと前記検出部との間に前記遮蔽手段を設けつつ前記対象配管にＸ線を照射して前記対象配管の内部の状況を検査し、前記決定ステップにおいて前記遮蔽手段を設けないと決定した場合に、前記周辺配管及び前記コンクリート壁の少なくともいずれかと前記検出部との間に前記遮蔽手段を設けずに前記対象配管にＸ線を照射して前記対象配管の内部の状況を検査する検査ステップと、を備えており、
前記決定ステップにおいて、
前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記複数の条件の中の他の条件より重視することを特徴とする配管検査方法。
【手続補正２】
【補正対象書類名】明細書
【補正対象項目名】０００９
【補正方法】変更
【補正の内容】
【０００９】
以上を踏まえた本発明は、対象配管を透過したＸ線の強度を検出部において検出することによって前記対象配管の内部の状況を検査する方法であって、前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを決定する決定ステップと、前記決定ステップにおいて前記遮蔽手段を設けると決定した場合に、前記周辺配管及び前記コンクリート壁の少なくともいずれかと前記検出部との間に前記遮蔽手段を設けつつ前記対象配管にＸ線を照射して前記対象配管の内部の状況を検査し、前記決定ステップにおいて前記遮蔽手段を設けないと決定した場合に、前記周辺配管及び前記コンクリート壁の少なくともいずれかと前記検出部との間に前記遮蔽手段を設けずに前記対象配管にＸ線を照射して前記対象配管の内部の状況を検査する検査ステップと、を備えており、前記決定ステップにおいて、前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記遮蔽手段を設けるとの決定をするための必要条件とする。
【手続補正３】
【補正対象書類名】明細書
【補正対象項目名】００１３
【補正方法】変更
【補正の内容】
【００１３】
また、本発明においては、前記検査ステップにおいて、前記周辺配管に前記遮蔽手段を固定してもよい。これによると、散乱源となる蓋然性の高い構造物に直接遮蔽手段を固定する。したがって、当該現象の発生を直接抑制できる。
【手続補正４】
【補正対象書類名】明細書
【補正対象項目名】００１４
【補正方法】変更
【補正の内容】
【００１４】
また、本発明においては、前記検出部がＸ線フィルムであり、前記検査ステップにおいて、前記Ｘ線フィルムにおける前記対象配管から遠い方の表面である背面のさらに背後において、前記周辺配管又は前記コンクリート壁から前記背面へと向かう散乱Ｘ線を遮蔽するように前記遮蔽手段を配置してもよい。本発明者の知見によると、Ｘ線フィルムの背後の近傍にコンクリート壁が存在する状況においても当該現象が起こりやすい。つまり、Ｘ線フィルムの背後にある散乱源からのＸ線によってＸ線フィルムに影が生じるものと考えられる。上記によると、Ｘ線フィルムの背後に遮蔽手段を配置するので、かかる場合における当該現象の発生を効果的に抑制できる。
【手続補正５】
【補正対象書類名】明細書
【補正対象項目名】００１５
【補正方法】変更
【補正の内容】
【００１５】
また、本発明においては、前記検出部がＸ線フィルムであり、前記検査ステップが、前記対象配管の周方向に関して第１の位置に前記Ｘ線フィルムを配置しつつ前記対象配管にＸ線を照射する第１の工程と、前記対象配管の周方向に関して前記第１の位置と異なる第２の位置に前記Ｘ線フィルムを配置しつつ前記対象配管にＸ線を照射する第２の工程とを含んでおり、前記第１及び第２の工程の少なくともいずれかにおいて、前記周辺配管及び前記コンクリート壁の少なくともいずれかと前記Ｘ線フィルムとの間にＸ線を遮蔽する遮蔽手段を設けてもよい。対象配管の径が比較的大きいと、上記第１及び第２の工程の通り、複数回に分けてさまざまな方向から対象配管にＸ線を照射する必要が生じることがある。このような場合には、対象配管の周辺にもさまざまな方向へとＸ線が照射されることから、対象配管の周辺において当該現象を引き起こすような散乱Ｘ線が生じる蓋然性が高くなる。よって、かかる場合には、本発明を適用する技術的意義が高い。
【手続補正６】
【補正対象書類名】明細書
【補正対象項目名】００１６
【補正方法】変更
【補正の内容】
【００１６】
また、本発明においては、前記検出部がＸ線フィルムであり、前記検査ステップが、前記遮蔽手段が設けられた場合にはこれによって前記周辺配管又はコンクリート壁から前記Ｘ線フィルムに入射するＸ線が抑制された状態で、前記対象配管を透過させつつ前記Ｘ線フィルムにＸ線を照射する照射ステップと、前記照射ステップ後のＸ線フィルム上に形成された前記対象配管の透過像の明暗に基づいて前記対象配管の腐食状況を検査する腐食状況検査ステップと、を含んでいることが好ましい。影が写り込むと像の明暗が変動するため、対象配管の腐食状況を正確に取得できないおそれがある。これに対し、上記構成によると、当該現象の発生が抑制された、つまり、影の写り込みが抑制されたＸ線フィルムの像の明暗に基づいて対象配管の腐食状況を検査することができる。したがって、対象配管の腐食状況を正確に取得しやすい。
【手続補正７】
【補正対象書類名】明細書
【補正対象項目名】００１７
【補正方法】変更
【補正の内容】
【００１７】
また、本発明の別の観点による配管検査方法は、対象配管を透過したＸ線の強度を検出部において検出することによって前記対象配管の内部の状況を検査する方法であって、前記対象配管の周辺に設置された配管である周辺配管、及び、前記対象配管の周辺に設置されたコンクリート壁の少なくともいずれかと前記検出部との間に、Ｘ線を遮蔽する遮蔽手段を設けるか否かを複数の条件に基づいて決定する決定ステップと、前記決定ステップにおいて前記遮蔽手段を設けると決定した場合に、前記周辺配管及び前記コンクリート壁の少なくともいずれかと前記検出部との間に前記遮蔽手段を設けつつ前記対象配管にＸ線を照射して前記対象配管の内部の状況を検査し、前記決定ステップにおいて前記遮蔽手段を設けないと決定した場合に、前記周辺配管及び前記コンクリート壁の少なくともいずれかと前記検出部との間に前記遮蔽手段を設けずに前記対象配管にＸ線を照射して前記対象配管の内部の状況を検査する検査ステップと、を備えており、前記決定ステップにおいて、前記対象配管が、給水系及び給湯系を含む第１種及び排水系を含む第２種のいずれに該当するかを前記対象配管の種類に応じて判別した結果、及び、前記対象配管の径が所定の大きさ以上であるか否かを判定した結果の少なくともいずれかを、前記複数の条件の中の他の条件より重視する。